(57)【要約】【課題】表示可能なプレゼンス情報が異なる端末装置間であっても表示を可能とするプレゼンス情報通信システムを提供する。【解決手段】プレゼンス情報通信システム１において、端末装置１０Ｒの端末プレゼンス定義情報記憶部１８ｒは、表示できるプレゼンス情報を記憶する。送受信部１５ｒは、端末装置１０Ｓからプレゼンス情報を受信するとともに、端末装置１０Ｓが表示できるプレゼンス情報の中で概念的に関連のあるプレゼンス情報を対応付けた対応関係情報を受信し、受信した対応関係情報をディレクトリ情報記憶部１４ｒに記憶させる。判定部１２ｒは、受信したプレゼンス情報、端末プレゼンス定義情報記憶部１８ｒに記憶される情報に含まれるか否かを判定する。変換部１３ｒは、判定部１８ｒが含まれないと判定した場合、当該プレゼンス情報をディレクトリ情報記憶部１４ｒに記憶される対応関係情報に基づいて他のプレゼンス情報へ変換する。【選択図】図１
2007249522.tif 000002
【特許請求の範囲】
【請求項１】
状態情報であるプレゼンス情報をネットワークを介して互いに送受信し、他の通信装置の前記プレゼンス情報を出力する複数の通信装置を備えたプレゼンス情報通信システムであって、
送受信される前記プレゼンス情報の中で概念的に関連のあるプレゼンス情報を対応付けた対応関係情報を有し、
前記通信装置は、送受信するプレゼンス情報が自通信装置、あるいは通信相手の通信装置にて出力できない場合、前記対応関係情報に基づいて、前記プレゼンス情報を出力できるプレゼンス情報へ変換する
ことを特徴とするプレゼンス情報通信システム。
【請求項２】
前記対応関係情報は、
前記プレゼンス情報が示す概念を上位概念で示したプレゼンス情報から前記プレゼンス情報が示す概念を下位概念で示したプレゼンス情報までを対応付けて概念順に階層化されており、
前記通信装置は、当該対応関係情報の階層に基づいて出力できる上位概念のプレゼンス情報へ変換する
ことを特徴とする請求項１に記載のプレゼンス情報通信システム。
【請求項３】
ネットワークに接続され、状態情報であるプレゼンス情報を他の通信装置との間で互いに送受信し、前記他の通信装置から受信したプレゼンス情報を出力する通信装置であって、
自通信装置が出力できるプレゼンス情報を記憶する第１の記憶手段と、
前記他の通信装置から前記プレゼンス情報を受信するとともに、前記他の通信装置が出力できるプレゼンス情報の中で概念的に関連のあるプレゼンス情報を対応付けた対応関係情報を受信し、受信した前記対応関係情報を第２の記憶手段に記憶させる受信手段と、
前記受信手段が受信した前記プレゼンス情報、あるいは入力される前記プレゼンス情報が前記第１の記憶手段に記憶される情報に含まれるか否かを判定する判定手段と、
前記判定手段が前記プレゼンス情報が前記第１の記憶手段に記憶される情報に含まれないと判定した場合、当該プレゼンス情報を前記第２の記憶手段に記憶される前記対応関係情報に基づいて他のプレゼンス情報へ変換して前記判定手段へ入力する変換手段と、
前記判定手段が前記プレゼンス情報が前記第１の記憶手段に記憶される情報に含まれると判定した場合、当該プレゼンス情報を出力する出力手段と、
を備えたことを特徴とする通信装置。
【請求項４】
前記受信手段は、
前記受信したプレゼンス情報が示す概念を上位概念で示した幾つかのプレゼンス情報と当該受信したプレゼンス情報とを対応付けて概念順に階層化した情報を前記対応関係情報として受信し、受信した前記対応関係情報をディレクトリ情報として第２の記憶手段に記憶させ、
前記第１の記憶手段は、
少なくとも前記ディレクトリ情報の最上位概念のプレゼンス情報を記憶しており、
前記変換手段は、
前記判定手段が前記プレゼンス情報が前記第１の記憶手段に記憶される情報に含まれないと判定した場合、前記第２の記憶手段に記憶されるディレクトリ情報に基づいて、当該プレゼンス情報を上位概念のプレゼンス情報へ変換して前記判定手段へ入力する
ことを特徴とする請求項３に記載の通信装置。
【請求項５】
ネットワークに接続され、状態情報であるプレゼンス情報を他の通信装置との間で互いに送受信し、前記他の通信装置からプレゼンス情報のプレゼンス情報要求信号を受信してプレゼンス情報の送信を行う通信装置であって、
自通信装置が出力できるプレゼンス情報の中で概念的に関連のあるプレゼンス情報を対応付けて記憶する第１の記憶手段と、
自通信装置のプレゼンス情報を記憶する状態記憶手段と、
前記他の通信装置からプレゼンス情報のプレゼンス情報要求信号を受信した際に、前記状態記憶手段が記憶するプレゼンス情報に対応するプレゼンス情報を前記第１の記憶手段から読み出し、読み出したプレゼンス情報及び前記状態記憶手段に記憶されるプレゼンス情報を対応付けて対応関係情報として生成し、生成した前記対応関係情報を前記状態記憶手段に記憶されるプレゼンス情報とともに前記他の通信装置へ送信する送信手段と、
を備えたことを特徴とする通信装置。
【請求項６】
ネットワークに接続され、状態情報であるプレゼンス情報を他の通信装置との間で互いに送受信し、前記他の通信装置からプレゼンス情報のプレゼンス情報要求信号を受信してプレゼンス情報の送信を行う通信装置であって、
自通信装置が出力できるプレゼンス情報の中で概念的に関連のあるプレゼンス情報を対応付けた対応関係情報を記憶する第１の記憶手段と、
受信するプレゼンス情報要求信号から、前記プレゼンス情報要求信号の送信元の他の通信装置が出力できるプレゼンス情報を読み出し、読み出した前記プレゼンス情報を第２の記憶手段へ記憶させる受信手段と、
自通信装置のプレゼンス情報を記憶する状態記憶手段と、
前記他の通信装置に送信する前記状態記憶手段が記憶する前記プレゼンス情報、あるいは入力される前記プレゼンス情報が前記第２の記憶手段に記憶される前記プレゼンス情報に含まれているか否かを判定する判定手段と、
前記判定手段が前記プレゼンス情報が前記第２の記憶手段に記憶される前記プレゼンス情報に含まれないと判定した場合、前記第１の記憶手段に記憶される前記対応関係情報に基づいて、当該プレゼンス情報に対応する他のプレゼンス情報に変換して前記判定手段に入力する変換手段と、
前記判定手段が前記プレゼンス情報が前記第２の記憶手段に記憶される前記プレゼンス情報に含まれると判定した場合、当該プレゼンス情報を前記他の通信装置に送信する送信手段と、
を備えたことを特徴とする通信装置。
【請求項７】
前記第１の記憶手段は、
自通信装置が出力できるプレゼンス情報が示す概念を上位概念で示したプレゼンス情報から前記プレゼンス情報が示す概念を下位概念で示したプレゼンス情報までを対応付けて概念順に階層化した対応関係情報を記憶し、
前記第２の記憶手段に記憶されるプレゼンス情報は、少なくとも前記第１の記憶手段に記憶される最上位概念のプレゼンス情報を含んでおり、
前記変換手段は、
前記判定手段が前記プレゼンス情報が前記第２の記憶手段に記憶される前記プレゼンス情報に含まれないと判定した場合、前記第１の記憶手段に記憶される前記対応関係情報に基づいて、当該プレゼンス情報を前記上位概念のプレゼンス情報へ変換して前記判定手段へ入力する
ことを特徴とする請求項６に記載の通信装置。
【請求項８】
ネットワークに接続され、状態情報であるプレゼンス情報を他の通信装置との間で互いに送受信し、前記他の通信装置から受信したプレゼンス情報を出力する通信装置であって、
自通信装置が出力できるプレゼンス情報を記憶する第１の記憶手段と、
前記他の通信装置へ前記プレゼンス情報のプレゼンス情報要求信号を送信する際に、前記第１の記憶手段に記憶される前記プレゼンス情報を読み出し、読み出した前記プレゼンス情報を含む前記プレゼンス情報要求信号を前記他の通信装置へ送信する送信手段と、
を備えたことを特徴とする通信装置。
【請求項９】
状態情報であるプレゼンス情報をネットワークを介して互いに送受信し、他の通信装置の前記プレゼンス情報を出力する複数の通信装置を備えたプレゼンス情報通信システムにおけるプレゼンス情報通信方法であって、
前記複数の通信装置は、送受信される前記プレゼンス情報の中で概念的に関連のあるプレゼンス情報を対応付けた対応関係情報を共有し、
前記通信装置は、送受信するプレゼンス情報が自通信装置、あるいは通信相手の通信装置にて出力できない場合、共有する前記対応関係情報に基づいて、前記プレゼンス情報を出力できるプレゼンス情報へ変換する
ことを特徴とするプレゼンス情報通信方法。
【請求項１０】
ネットワークに接続され、状態情報であるプレゼンス情報を他の通信装置との間で互いに送受信し、前記他の通信装置から受信したプレゼンス情報を出力する通信装置のコンピュータを、
自通信装置が出力できるプレゼンス情報を記憶する第１の記憶手段と、
前記他の通信装置から前記プレゼンス情報を受信するとともに、前記他の通信装置が出力できるプレゼンス情報の中で概念的に関連のあるプレゼンス情報を対応付けた対応関係情報を受信し、受信した前記対応関係情報を第２の記憶手段に記憶させる受信手段と、
前記受信手段が受信した前記プレゼンス情報、あるいは入力される前記プレゼンス情報が前記第１の記憶手段に記憶される情報に含まれるか否かを判定する判定手段と、
前記判定手段が前記プレゼンス情報が前記第１の記憶手段に記憶される情報に含まれないと判定した場合、当該プレゼンス情報を前記第２の記憶手段に記憶される前記対応関係情報に基づいて他のプレゼンス情報へ変換して前記判定手段へ入力する変換手段と、
前記判定手段が前記プレゼンス情報が前記第１の記憶手段に記憶される情報に含まれると判定した場合、当該プレゼンス情報を出力する出力手段と、
して機能させるためのコンピュータプログラム。
【請求項１１】
ネットワークに接続され、状態情報であるプレゼンス情報を他の通信装置との間で互いに送受信し、前記他の通信装置からプレゼンス情報のプレゼンス情報要求信号を受信してプレゼンス情報の送信を行う通信装置のコンピュータを、
自通信装置が出力できるプレゼンス情報の中で概念的に関連のあるプレゼンス情報を対応付けた対応関係情報を記憶する第１の記憶手段と、
受信するプレゼンス情報要求信号から、前記プレゼンス情報要求信号の送信元の他の通信装置が出力できるプレゼンス情報を読み出し、読み出した前記プレゼンス情報を第２の記憶手段へ記憶させる受信手段と、
自通信装置のプレゼンス情報を記憶する状態記憶手段と、
前記他の通信装置に送信する前記状態記憶手段が記憶する前記プレゼンス情報、あるいは入力される前記プレゼンス情報が前記第２の記憶手段に記憶される前記プレゼンス情報に含まれているか否かを判定する判定手段と、
前記判定手段が前記プレゼンス情報が前記第２の記憶手段に記憶される前記プレゼンス情報に含まれないと判定した場合、前記第１の記憶手段に記憶される前記対応関係情報に基づいて、当該プレゼンス情報に対応する他のプレゼンス情報に変換して前記判定手段に入力する変換手段と、
前記判定手段が前記プレゼンス情報が前記第２の記憶手段に記憶される前記プレゼンス情報に含まれると判定した場合、当該プレゼンス情報を前記他の通信装置に送信する送信手段と、
して機能させるためのコンピュータプログラム。
【発明の詳細な説明】
【技術分野】
【０００１】
本発明は、プレゼンス情報を互いに送受信するプレゼンス情報通信システム、通信装置、プレゼンス情報通信方法及びコンピュータプログラムに関する。
【背景技術】
【０００２】
従来、パーソナルコンピュータ等の端末装置間で、チャットなどのメッセージの送受信を行うインスタントメッセージ（ＩＭ：Instant Message）サービスというものが知られている。このようなインスタントメッセージサービスでは、端末装置のユーザの状態、例えば在席しているか否か等を示す情報であるプレゼンス情報が端末装置の間で相互に送受信される。他の端末装置からプレゼンス情報を受信した端末装置が、その情報を画面に表示することにより、当該端末装置のユーザが他の端末装置のユーザの状態を知ることができるように構成されている。
【０００３】
プレゼンスサービスを実現するための代表的な技術として、ＳＩＰ(Session Initiation Protocol)／ＳＩＭＰＬＥ(SIP for Instant Messaging and Presence Leveraging Extensions)プロトコルを利用する技術が知られている。ＳＩＰ／ＳＩＭＰＬＥプロトコルは、ユーザがプレゼンス情報を参照するために端末を操作すると、通信網を介して相手方の端末にＳＵＢＳＣＲＩＢＥメッセージを送信する。当該ＳＵＢＳＣＲＩＢＥメッセージを受信した相手方の端末は、自らのプレゼンス情報を含むＮＯＴＩＦＹメッセージを応答として送信する。そして、当該ＮＯＴＩＦＹメッセージを受信した端末は、ＮＯＴＩＦＹメッセージに含まれるプレゼンス情報を読み出し、読み出したプレゼンス情報によって示される状態情報を画面等に表示することが可能となる（例えば、非特許文献１参照）。
【非特許文献１】“RFC3863: PIDF(Presence Information Data Format)，[online]，2005年12月，Internet Engineering Task Force， [平成１７年１２月２７日検索]、インターネット<URL: http://www.ietf.org/rfc/rfc3863.txt>
【発明の開示】
【発明が解決しようとする課題】
【０００４】
しかしながら、ＳＩＰ／ＳＩＭＰＬＥプロトコルでは、非特許文献１に示すようにプレゼンス情報としてＯｐｅｎ（オンライン）とＣｌｏｓｅ（オフライン）の２つが定義されているだけであり、それ以外の拡張ステータスについては、プレゼンスサービスの提供者が独自に定義している。そのため、異なるサービスに加入するユーザの端末装置間では、独自に定義されたプレゼンス情報を送受信して表示することができないという問題があった。
【０００５】
本発明は、上記問題を解決すべくなされたもので、その目的は、表示可能なプレゼンス情報が異なる端末装置等の通信装置間であってもプレゼンス情報の送受信を可能とし、また、当該プレゼンス情報の表示を可能とするプレゼンス情報通信システム、通信装置、プレゼンス情報通信方法及びコンピュータプログラムを提供することにある。
【課題を解決するための手段】
【０００６】
上記問題を解決するために、本発明は、状態情報であるプレゼンス情報をネットワークを介して互いに送受信し、他の通信装置の前記プレゼンス情報を出力する複数の通信装置を備えたプレゼンス情報通信システムであって、送受信される前記プレゼンス情報の中で概念的に関連のあるプレゼンス情報を対応付けた対応関係情報を有し、前記通信装置は、送受信するプレゼンス情報が自通信装置、あるいは通信相手の通信装置にて出力できない場合、前記対応関係情報に基づいて、前記プレゼンス情報を出力できるプレゼンス情報へ変換することを特徴とするプレゼンス情報通信システムである。
【０００７】
本発明は、上記に記載の発明において、前記対応関係情報は、前記プレゼンス情報が示す概念を上位概念で示したプレゼンス情報から前記プレゼンス情報が示す概念を下位概念で示したプレゼンス情報までを対応付けて概念順に階層化されており、前記通信装置は、当該対応関係情報の階層に基づいて出力できる上位概念のプレゼンス情報へ変換することを特徴とする。
【０００８】
本発明は、ネットワークに接続され、状態情報であるプレゼンス情報を他の通信装置との間で互いに送受信し、前記他の通信装置から受信したプレゼンス情報を出力する通信装置であって、自通信装置が出力できるプレゼンス情報を記憶する第１の記憶手段と、前記他の通信装置から前記プレゼンス情報を受信するとともに、前記他の通信装置が出力できるプレゼンス情報の中で概念的に関連のあるプレゼンス情報を対応付けた対応関係情報を受信し、受信した前記対応関係情報を第２の記憶手段に記憶させる受信手段と、前記受信手段が受信した前記プレゼンス情報、あるいは入力される前記プレゼンス情報が前記第１の記憶手段に記憶される情報に含まれるか否かを判定する判定手段と、前記判定手段が前記プレゼンス情報が前記第１の記憶手段に記憶される情報に含まれないと判定した場合、当該プレゼンス情報を前記第２の記憶手段に記憶される前記対応関係情報に基づいて他のプレゼンス情報へ変換して前記判定手段へ入力する変換手段と、前記判定手段が前記プレゼンス情報が前記第１の記憶手段に記憶される情報に含まれると判定した場合、当該プレゼンス情報を出力する出力手段と、を備えたことを特徴とする通信装置である。
【０００９】
本発明は、上記に記載の発明において、前記受信手段は、前記受信したプレゼンス情報が示す概念を上位概念で示した幾つかのプレゼンス情報と当該受信したプレゼンス情報とを対応付けて概念順に階層化した情報を前記対応関係情報として受信し、受信した前記対応関係情報をディレクトリ情報として第２の記憶手段に記憶させ、前記第１の記憶手段は、少なくとも前記ディレクトリ情報の最上位概念のプレゼンス情報を記憶しており、前記変換手段は、前記判定手段が前記プレゼンス情報が前記第１の記憶手段に記憶される情報に含まれないと判定した場合、前記第２の記憶手段に記憶されるディレクトリ情報に基づいて、当該プレゼンス情報を上位概念のプレゼンス情報へ変換して前記判定手段へ入力することを特徴とする。
【００１０】
本発明は、ネットワークに接続され、状態情報であるプレゼンス情報を他の通信装置との間で互いに送受信し、前記他の通信装置からプレゼンス情報のプレゼンス情報要求信号を受信してプレゼンス情報の送信を行う通信装置であって、自通信装置が出力できるプレゼンス情報の中で概念的に関連のあるプレゼンス情報を対応付けて記憶する第１の記憶手段と、自通信装置のプレゼンス情報を記憶する状態記憶手段と、前記他の通信装置からプレゼンス情報のプレゼンス情報要求信号を受信した際に、前記状態記憶手段が記憶するプレゼンス情報に対応するプレゼンス情報を前記第１の記憶手段から読み出し、読み出したプレゼンス情報及び前記状態記憶手段に記憶されるプレゼンス情報を対応付けて対応関係情報として生成し、生成した前記対応関係情報を前記状態記憶手段に記憶されるプレゼンス情報とともに前記他の通信装置へ送信する送信手段と、を備えたことを特徴とする通信装置である。
【００１１】
本発明は、ネットワークに接続され、状態情報であるプレゼンス情報を他の通信装置との間で互いに送受信し、前記他の通信装置からプレゼンス情報のプレゼンス情報要求信号を受信してプレゼンス情報の送信を行う通信装置であって、自通信装置が出力できるプレゼンス情報の中で概念的に関連のあるプレゼンス情報を対応付けた対応関係情報を記憶する第１の記憶手段と、受信するプレゼンス情報要求信号から、前記プレゼンス情報要求信号の送信元の他の通信装置が出力できるプレゼンス情報を読み出し、読み出した前記プレゼンス情報を第２の記憶手段へ記憶させる受信手段と、自通信装置のプレゼンス情報を記憶する状態記憶手段と、前記他の通信装置に送信する前記状態記憶手段が記憶する前記プレゼンス情報、あるいは入力される前記プレゼンス情報が前記第２の記憶手段に記憶される前記プレゼンス情報に含まれているか否かを判定する判定手段と、前記判定手段が前記プレゼンス情報が前記第２の記憶手段に記憶される前記プレゼンス情報に含まれないと判定した場合、前記第１の記憶手段に記憶される前記対応関係情報に基づいて、当該プレゼンス情報に対応する他のプレゼンス情報に変換して前記判定手段に入力する変換手段と、前記判定手段が前記プレゼンス情報が前記第２の記憶手段に記憶される前記プレゼンス情報に含まれると判定した場合、当該プレゼンス情報を前記他の通信装置に送信する送信手段と、を備えたことを特徴とする通信装置である。
【００１２】
本発明は、上記に記載の発明において、前記第１の記憶手段は、自通信装置が出力できるプレゼンス情報が示す概念を上位概念で示したプレゼンス情報から前記プレゼンス情報が示す概念を下位概念で示したプレゼンス情報までを対応付けて概念順に階層化した対応関係情報を記憶し、前記第２の記憶手段に記憶されるプレゼンス情報は、少なくとも前記第１の記憶手段に記憶される最上位概念のプレゼンス情報を含んでおり、前記変換手段は、前記判定手段が前記プレゼンス情報が前記第２の記憶手段に記憶される前記プレゼンス情報に含まれないと判定した場合、前記第１の記憶手段に記憶される前記対応関係情報に基づいて、当該プレゼンス情報を前記上位概念のプレゼンス情報へ変換して前記判定手段へ入力することを特徴とする。
【００１３】
本発明は、ネットワークに接続され、状態情報であるプレゼンス情報を他の通信装置との間で互いに送受信し、前記他の通信装置から受信したプレゼンス情報を出力する通信装置であって、自通信装置が出力できるプレゼンス情報を記憶する第１の記憶手段と、前記他の通信装置へ前記プレゼンス情報のプレゼンス情報要求信号を送信する際に、前記第１の記憶手段に記憶される前記プレゼンス情報を読み出し、読み出した前記プレゼンス情報を含む前記プレゼンス情報要求信号を前記他の通信装置へ送信する送信手段と、を備えたことを特徴とする通信装置である。
【００１４】
本発明は、状態情報であるプレゼンス情報をネットワークを介して互いに送受信し、他の通信装置の前記プレゼンス情報を出力する複数の通信装置を備えたプレゼンス情報通信システムにおけるプレゼンス情報通信方法であって、前記複数の通信装置は、送受信される前記プレゼンス情報の中で概念的に関連のあるプレゼンス情報を対応付けた対応関係情報を共有し、前記通信装置は、送受信するプレゼンス情報が自通信装置、あるいは通信相手の通信装置にて出力できない場合、共有する前記対応関係情報に基づいて、前記プレゼンス情報を出力できるプレゼンス情報へ変換することを特徴とするプレゼンス情報通信方法である。
【００１５】
本発明は、ネットワークに接続され、状態情報であるプレゼンス情報を他の通信装置との間で互いに送受信し、前記他の通信装置から受信したプレゼンス情報を出力する通信装置のコンピュータを、自通信装置が出力できるプレゼンス情報を記憶する第１の記憶手段と、前記他の通信装置から前記プレゼンス情報を受信するとともに、前記他の通信装置が出力できるプレゼンス情報の中で概念的に関連のあるプレゼンス情報を対応付けた対応関係情報を受信し、受信した前記対応関係情報を第２の記憶手段に記憶させる受信手段と、前記受信手段が受信した前記プレゼンス情報、あるいは入力される前記プレゼンス情報が前記第１の記憶手段に記憶される情報に含まれるか否かを判定する判定手段と、前記判定手段が前記プレゼンス情報が前記第１の記憶手段に記憶される情報に含まれないと判定した場合、当該プレゼンス情報を前記第２の記憶手段に記憶される前記対応関係情報に基づいて他のプレゼンス情報へ変換して前記判定手段へ入力する変換手段と、前記判定手段が前記プレゼンス情報が前記第１の記憶手段に記憶される情報に含まれると判定した場合、当該プレゼンス情報を出力する出力手段と、して機能させるためのコンピュータプログラムである。
【００１６】
本発明は、ネットワークに接続され、状態情報であるプレゼンス情報を他の通信装置との間で互いに送受信し、前記他の通信装置からプレゼンス情報のプレゼンス情報要求信号を受信してプレゼンス情報の送信を行う通信装置のコンピュータを、自通信装置が出力できるプレゼンス情報の中で概念的に関連のあるプレゼンス情報を対応付けた対応関係情報を記憶する第１の記憶手段と、受信するプレゼンス情報要求信号から、前記プレゼンス情報要求信号の送信元の他の通信装置が出力できるプレゼンス情報を読み出し、読み出した前記プレゼンス情報を第２の記憶手段へ記憶させる受信手段と、自通信装置のプレゼンス情報を記憶する状態記憶手段と、前記他の通信装置に送信する前記状態記憶手段が記憶する前記プレゼンス情報、あるいは入力される前記プレゼンス情報が前記第２の記憶手段に記憶される前記プレゼンス情報に含まれているか否かを判定する判定手段と、前記判定手段が前記プレゼンス情報が前記第２の記憶手段に記憶される前記プレゼンス情報に含まれないと判定した場合、前記第１の記憶手段に記憶される前記対応関係情報に基づいて、当該プレゼンス情報に対応する他のプレゼンス情報に変換して前記判定手段に入力する変換手段と、前記判定手段が前記プレゼンス情報が前記第２の記憶手段に記憶される前記プレゼンス情報に含まれると判定した場合、当該プレゼンス情報を前記他の通信装置に送信する送信手段と、して機能させるためのコンピュータプログラムである。
【発明の効果】
【００１７】
この発明によれば、プレゼンス情報通信システムは、送受信されるプレゼンス情報の中で概念的に関連のあるプレゼンス情報を対応付けた対応関係情報を有しており、通信装置は、送受信するプレゼンス情報が自通信装置、あるいは通信相手の通信装置にて出力できない場合、対応関係情報に基づいて、プレゼンス情報を出力できるプレゼンス情報へ変換する構成とした。これにより、出力可能なプレゼンス情報が異なる通信装置間であってもプレゼンス情報の送受信を可能とし、また、当該プレゼンス情報の出力を可能とすることが可能となる。
【００１８】
この発明によれば、プレゼンス情報通信システムにおける対応関係情報は、プレゼンス情報が示す概念を上位概念で示したプレゼンス情報からプレゼンス情報が示す概念を下位概念で示したプレゼンス情報までを対応付けて概念順に階層化されており、通信装置は、当該対応関係情報の階層に基づいて出力できる上位概念のプレゼンス情報へ変換する構成とした。これにより、出力できないプレゼンス情報について階層に従って上位概念のプレゼンス情報へ変換することができ、出力可能なプレゼンス情報を短い手順で検出することが可能となる。
【００１９】
この発明によれば、プレゼンス情報を出力する通信装置は、自通信装置が出力できるプレゼンス情報を第１の記憶手段に記憶させ、他の通信装置からプレゼンス情報を受信するとともに、他の通信装置が出力できるプレゼンス情報の中で概念的に関連のあるプレゼンス情報を対応付けた対応関係情報を受信し、受信した対応関係情報を第２の記憶手段に記憶させる。そして、受信したプレゼンス情報、あるいは入力されるプレゼンス情報が第１の記憶手段に記憶される情報に含まれるか否かを判定する。プレゼンス情報が第１の記憶手段に記憶される情報に含まれないと判定した場合、当該プレゼンス情報を第２の記憶手段に記憶される対応関係情報に基づいて他のプレゼンス情報へ変換する構成とした。これにより、他の通信装置が出力できるプレゼンス情報を受信することで、他の通信装置から受信したプレゼンス情報が出力できないものであっても、概念的に対応する他のプレゼンス情報へ変換して出力可能なプレゼンス情報を検出することが可能となる。また、各通信装置で共通の対応関係情報を記憶させておく必要をなくすことができる。
【００２０】
この発明によれば、プレゼンス情報を出力する通信装置は、受信したプレゼンス情報が示す概念を上位概念で示した幾つかのプレゼンス情報と当該受信したプレゼンス情報とを対応付けて概念順に階層化した情報を対応関係情報として受信し、受信した対応関係情報をディレクトリ情報として第２の記憶手段に記憶させ、第１の記憶手段は、少なくともディレクトリ情報の最上位概念のプレゼンス情報を記憶する。通信装置は、プレゼンス情報が第１の記憶手段に記憶される情報に含まれないと判定した場合、第２の記憶手段に記憶されるディレクトリ情報に基づいて、当該プレゼンス情報を上位概念のプレゼンス情報へ変換する構成とした。これにより、出力できないプレゼンス情報についてディレクトリ情報の階層に従って上位概念のプレゼンス情報へ変換することができ、出力可能なプレゼンス情報を短い手順で検出することが可能となる。
【００２１】
この発明によれば、他の通信装置からプレゼンス情報のプレゼンス情報要求信号を受信してプレゼンス情報の送信を行う通信装置は、自通信装置が出力できるプレゼンス情報の中で概念的に関連のあるプレゼンス情報を対応付けて第１の記憶手段に記憶させ、自通信装置のプレゼンス情報を状態記憶手段に記憶させ、他の通信装置からプレゼンス情報のプレゼンス情報要求信号を受信した際に、状態記憶手段が記憶するプレゼンス情報に対応するプレゼンス情報を前記第１の記憶手段から読み出し、読み出したプレゼンス情報及び状態記憶手段に記憶されるプレゼンス情報を対応付けて対応関係情報として生成し、生成した対応関係情報を前記状態記憶手段に記憶されるプレゼンス情報とともに前記他の通信装置へ送信する構成とした。これにより、当該通信装置からのプレゼンス情報を受信する他の通信装置は、受信したプレゼンス情報が出力できないものであっても、概念的に対応する他のプレゼンス情報へ変換して出力可能なプレゼンス情報を検出して出力させることが可能となる。また、各通信装置で共通の対応関係情報を記憶させておく必要をなくすことができる。
【００２２】
この発明によれば、他の通信装置からプレゼンス情報のプレゼンス情報要求信号を受信してプレゼンス情報の送信を行う通信装置は、自通信装置が出力できるプレゼンス情報の中で概念的に関連のあるプレゼンス情報を対応付けた対応関係情報を第１の記憶手段に記憶させ、受信するプレゼンス情報要求信号から、プレゼンス情報要求信号の送信元の他の通信装置が出力できるプレゼンス情報を読み出し、読み出したプレゼンス情報を第２の記憶手段へ記憶させ、自通信装置のプレゼンス情報を状態記憶手段に記憶させ、他の通信装置に送信する状態記憶手段が記憶する前記プレゼンス情報、あるいは入力される前記プレゼンス情報が第２の記憶手段に記憶されるプレゼンス情報に含まれているか否かを判定する。プレゼンス情報が第２の記憶手段に記憶されるプレゼンス情報に含まれないと判定した場合、第１の記憶手段に記憶される対応関係情報に基づいて、当該プレゼンス情報に対応する他のプレゼンス情報に変換する構成とした。これにより、プレゼンス情報の送信側の通信装置にて、送信先の通信装置で出力可能なプレゼンス情報を予め検出して送信することが可能となる。また、プレゼンス情報を出力する送信先の通信装置は、受信したプレゼンス情報が出力可能なものかを判定する処理を行うことなく、プレゼンス情報の出力を行うことが可能となる。また、各通信装置で共通の対応関係情報を記憶させておく必要をなくすことができる。
【００２３】
この発明によれば、他の通信装置からプレゼンス情報のプレゼンス情報要求信号を受信してプレゼンス情報の送信を行う通信装置は、自通信装置が出力できるプレゼンス情報が示す概念を上位概念で示したプレゼンス情報からプレゼンス情報が示す概念を下位概念で示したプレゼンス情報までを対応付けて概念順に階層化した対応関係情報を第１の記憶手段に記憶させ、第２の記憶手段に記憶されるプレゼンス情報は、少なくとも第１の記憶手段に記憶される最上位概念のプレゼンス情報を含んでいる。通信装置は、プレゼンス情報が第２の記憶手段に記憶されるプレゼンス情報に含まれないと判定した場合、当該プレゼンス情報を第１の記憶手段に記憶される対応関係情報に基づいて、上位概念のプレゼンス情報へ変換する構成とした。これにより、送信先の通信装置にて出力できないプレゼンス情報について対応関係情報に従って上位概念のプレゼンス情報へ変換することができ、出力可能なプレゼンス情報を短い手順で検出することが可能となる。
【００２４】
この発明によれば、プレゼンス情報を出力する通信装置は、自通信装置が出力できるプレゼンス情報を第１の記憶手段に記憶させ、他の通信装置へプレゼンス情報のプレゼンス情報要求信号を送信する際に、第１の記憶手段に記憶されるプレゼンス情報を読み出し、読み出したプレゼンス情報を含むプレゼンス情報要求信号を他の通信装置へ送信する構成とした。これにより、当該通信装置からのプレゼンス情報のプレゼンス情報要求信号を受信した他の通信装置は、プレゼンス情報の送信前に、当該通信装置にて出力可能なプレゼンス情報を検出することが可能となり、当該通信装置は、受信したプレゼンス情報が出力可能なものかを判定する処理を行うことなく、プレゼンス情報の出力を行うことが可能となる。また、各通信装置で共通の対応関係情報を記憶させておく必要をなくすことができる。
【発明を実施するための最良の形態】
【００２５】
以下、本発明の実施形態を図面を参照して説明する。
（第１実施形態）
図１は、本発明の第１実施形態によるプレゼンス情報通信システム１を示す概略ブロック図である。プレゼンス情報通信システム１は、ネットワーク１００に接続される端末装置１０Ｓ、１０Ｒを備えており、それぞれの端末装置１０Ｓ、１０Ｒの間で互いにプレゼンス情報が送受信される。ここで、プレゼンス情報とは、人や、物や、サービスなどの状態を示す情報であり、具体的には、自分や相手の状態を示す状態や、人が何かを欲する人の欲求を示す情報や、位置、時間のような情報であってもよい。本実施形態では、端末装置１０Ｓ、１０Ｒのユーザが、端末装置１０Ｓ、１０Ｒを操作して入力する、ユーザの状態を示す「在席中」や「会議中」などの状態情報や、端末装置１０Ｓ、１０Ｒが自律的に検出する状態情報、例えば一定時間操作が行われていない等を示す状態情報等をプレゼンス情報として以下の説明を行う。このプレゼンス情報を受信することにより端末装置１０Ｓ、１０Ｒのユーザは、他の端末装置１０Ｓ、１０Ｒのユーザの状態や端末装置の状態を知ることが可能となる。
【００２６】
プレゼンス情報通信システム１において、端末装置１０Ｓ、１０Ｒは、例えば、パーソナルコンピュータであり、プレゼンス情報の送受信のためにＳＩＰ／ＳＩＭＰＬＥプロトコルを具備している。ここで、端末装置１０Ｓ、１０Ｒは、同じ構成を有しているため端末装置の全体を示す場合には端末装置１０と記載し、以下の内部構成の説明では、添え字の「ｓ」及び「ｒ」を除いて説明する。
【００２７】
端末装置１０において、入力部１１は、ユーザの操作を受けて入力されるプレゼンス情報、あるいは端末装置が自律的に検出したプレセンス情報を入力して状態記憶部１７に記録する。送受信部１５は、ネットワーク１００に接続され、通信相手となる端末装置１０との間でプレゼンス情報等の送受信を行う。表示部１６は、通信相手のプレゼンス情報を画面等に出力して表示する。
【００２８】
ディレクトリ情報記憶部１４は、図２に示すような階層化されたディレクトリ情報を記憶している。当該ディレクトリ情報は、上位の階層になるにつれて抽象度が高く、より上位概念で示されたプレゼンス情報となっている。
【００２９】
端末プレゼンス定義情報記憶部１８は、図３に示すように各端末装置１０にて表示部１６に表示することのできるものとして定義されているプレゼンス情報が予め記憶されている。図３（ａ）は、端末装置１０Ｓの端末プレゼンス定義情報記憶部１８ｓが記憶する情報であり、図３（ｂ）は、端末装置１０Ｒの端末プレゼンス定義情報記憶部１８ｒが記憶する情報である。ここで、両方の情報には、図２に示すディレクトリ情報の最上位の概念である「ａ」、「ｂ」が必ず含まれることになる。
【００３０】
図４は、ディレクトリ情報の具体例であり、概念の抽象度に応じてプレゼンス情報が階層化により対応付けられることになる。図４に示す例では、図３で説明した最上位の概念「ａ」及び「ｂ」に対応する最上位の概念が、上記の非特許文献１に記載されるＳＩＰ／ＳＩＭＰＬＥプロトコルにて規定される共通のプレゼンス情報である「Ｏｐｅｎ（オンライン）」と「Ｃｌｏｓｅ（オフライン）」になっている。また、最上位より下の階層は、具体的な個別特定状態を示すプレゼンス情報となっている。第１実施形態では、全ての端末装置１０のディレクトリ情報記憶部１４に共通のディレクトリ情報を有する構成としている。
【００３１】
判定部１２は、受信したプレゼンス情報が表示部１６にて表示できるプレゼンス情報であるか否かを判定する。変換部１３は、判定部１２が表示できないプレゼンス情報であると判定した場合、判定の対象となった当該プレゼンス情報をディレクトリ情報記憶部１４に記憶されるディレクトリ情報に基づいて１階層上位の概念のプレゼンス情報へ変換する。
【００３２】
次に、図５及び図６を参照して、第１実施形態に係るプレゼンス情報通信システム１の処理について説明する。
【００３３】
図５に示すようにＳＩＰ／ＳＩＭＰＬＥプロトコルにより、端末装置１０Ｒは、端末装置１０Ｓのプレゼンス情報を要求するためのプレゼンス情報要求信号としてＳＵＢＳＣＲＩＢＥメッセージをネットワーク１００を介して端末装置１０Ｓに送信する。端末装置１０Ｓは、送受信部１５ｓにてＳＵＢＳＣＲＩＢＥメッセージを受信すると、状態記憶部１７ｓから自端末装置のプレゼンス情報を読み出し、読み出したプレゼンス情報を含むＮＯＴＩＦＹメッセージを端末装置１０Ｒに送信する。ここで、端末装置１０Ｓの状態記憶部１７ｓには、プレゼンス情報として「ｆ」が記憶されているものとする。「ｆ」は、図２のディレクトリ情報において最下位の概念のプレゼンス情報である。
【００３４】
端末装置１０Ｒの送受信部１５ｒが、プレゼンス情報「ｆ」を含むＮＯＴＩＦＹメッセージを受信すると（図６：ステップＳａ１）、受信したＮＯＴＩＦＹメッセージからプレゼンス情報「ｆ」を読み出し、読み出したプレゼンス情報「ｆ」を判定部１２ｒへ入力する（図６：ステップＳａ２）。判定部１２ｒは、受信したプレゼンス情報「ｆ」が端末プレゼンス定義情報記憶部１８ｒに記憶されるプレゼンス情報に含まれているか否かを判定する（図６：ステップＳａ３）。図３（ｂ）に示すように、端末プレゼンス定義情報記憶部１８ｒにはプレゼンス情報「ｆ」が記憶されていないため、ここでは、受信したプレゼンス情報「ｆ」が端末プレゼンス定義情報記憶部１８ｒに記憶されるプレゼンス情報に含まれていないと判定する。次に、変換部１３ｒは、ディレクトリ情報記憶部１４ｒに記憶される図２に示すディレクトリ情報に基づいて、受信したプレゼンス情報「ｆ」を、１階層上位のプレゼンス情報「ｃ」に変換し、判定部１２ｒに入力する（図６：ステップＳａ４）。
【００３５】
判定部１２ｒは、変換部１３ｒから入力されるプレゼンス情報「ｃ」が端末プレゼンス定義情報記憶部１８ｒに記憶されるプレゼンス情報に含まれているか否かを判定する。図３（ｂ）に示すように、端末プレゼンス定義情報記憶部１８ｒにはプレゼンス情報「ｃ」が記憶されているため、プレゼンス情報「ｃ」が端末プレゼンス定義情報記憶部１８ｒに記憶されるプレゼンス情報に含まれていると判定し、プレゼンス情報「ｃ」を表示部１６ｒに表示させる（図６：ステップＳａ５）。
【００３６】
上記の処理により、端末装置１０Ｒ、１０Ｓにて表示できるプレゼンス情報が異なる場合であっても、表示できないプレゼンス情報を表示可能な上位の概念のプレゼンス情報に変換して表示することができる。そのため、表示できるプレゼンス情報が異なる端末装置１０Ｓ、１０Ｒの間においても相互接続して、プレゼンス情報を送受信して互いに表示することが可能となる。また、概念的に関連するプレゼンス情報を対応付ける際に、概念の抽象度に応じて階層化したディレクトリ情報として構成することで、変換の際には、該当するプレゼンス情報より上位の概念のプレゼンス情報に変換することができ、これにより、表示可能なプレゼンス情報を検出するまでの処理の工程を短縮することが可能となる。
【００３７】
（第２実施形態）
次に、図７及び図８を参照して本発明の第２実施形態について説明する。
図７は、第２実施形態のプレゼンス情報通信システム２の概略を示した図である。第２実施形態のプレゼンス情報通信システムの端末装置１０Ｓ、１０Ｒの内部構成には、図１に示した第１実施形態のプレゼンス情報通信システム１の端末装置１０Ｓ、１０Ｒと同じ機能構成が適用される。端末装置１０Ｓの端末プレゼンス定義情報記憶部１８ｓには、図７の符号１１８ｓで示されるプレゼンス情報が階層化された対応関係情報が記憶されている。また、端末装置１０Ｒの端末プレゼンス定義情報記憶部１８ｒには、図７の符号１１８ｒで示されるプレゼンス情報が概念の抽象度に応じて階層化され対応付けられている対応関係情報が記憶されている。これらの情報を、以下の説明では、それぞれ対応関係情報１１８ｓ及び１１８ｒと記載する。また、第２実施形態では、共通のディレクトリ情報を用いないため、ディレクトリ情報記憶部１４ｓと１４ｒには通信が行なわれる前には情報は記憶されていない。
【００３８】
次に、図８を参照して第２実施形態のプレゼンス情報システム２の処理について説明する。まず、端末装置１０Ｒは、端末装置１０Ｓのプレゼンス情報を要求するためのプレゼンス情報要求信号としてＳＵＢＳＣＲＩＢＥメッセージをネットワーク１００を介して端末装置１０Ｓに送信する。端末装置１０Ｓは、送受信部１５ｓにてＳＵＢＳＣＲＩＢＥメッセージを受信すると、状態記憶部１７ｓから自端末装置のプレゼンス情報を読み出す。ここで、端末装置１０Ｓの状態記憶部１７ｓには、図７に示すようにプレゼンス情報として「取込中」が記憶されているものとする。
【００３９】
このとき、送受信部１５ｓは、端末プレゼンス定義情報記憶部１８ｓに記憶されている対応関係情報１１８ｓから、「取込中」を最下位の概念とし、その階層より上の概念のプレゼンス情報、すなわち「仕事中」、「オンライン」を読み出す。そして、送受信部１５ｓは、「取込中」と「仕事中」と「オンライン」のプレゼンス情報及び階層の関係を示す情報である対応関係情報１１８ｓの一部の情報と、読み出した「取込中」のプレゼンス情報を含むＮＯＴＩＦＹメッセージを端末装置１０Ｒに送信する。
【００４０】
端末装置１０Ｒの送受信部１５ｒが、ＮＯＴＩＦＹメッセージを受信すると（ステップＳｂ１）、受信したＮＯＴＩＦＹメッセージに含まれる対応関係情報１１８ｓの一部の情報を読み出し、読み出した情報をディレクトリ情報としてディレクトリ情報記憶部１４ｒに記録する（ステップＳｂ２）。次に、送受信部１５ｒは、ＮＯＴＩＦＹメッセージに含まれるプレゼンス情報「取込中」を読み出し（ステップＳｂ３）、読み出したプレゼンス情報を判定部１２ｒに入力する。判定部１２ｒは、プレゼンス情報「取込中」が表示できるプレゼンス情報であるか否か、すなわち端末プレゼンス定義情報記憶部１８ｒの対応関係情報１１８ｒに含まれているか否かを判定する（ステップＳｂ４：Ｎｏ）。図７の端末装置１０Ｒの対応関係情報１１８ｒに示すように、端末プレゼンス定義情報記憶部１８ｒの対応関係情報１１８ｒにはプレゼンス情報「取込中」は含まれていないため、ここでは、受信したプレゼンス情報「取込中」が端末プレゼンス定義情報記憶部１８ｒの対応関係情報１１８ｒに含まれていないと判定する。次に、変換部１３ｒは、ディレクトリ情報記憶部１４ｒに記憶されているディレクトリ情報、すなわち対応関係情報１１８ｓの一部の情報に基づいて、受信したプレゼンス情報「取込中」を１段概念が上位のプレゼンス情報「仕事中」に変換し、判定部１２ｒに入力する（ステップＳｂ５）。プレゼンス情報「仕事中」は、端末装置１０Ｒの端末プレゼンス定義情報記憶部１８ｒの対応関係情報１１８ｒに含まれているため、判定部１２ｒは、表示できるプレゼンス情報であると判定し（ステップＳａ４：Ｙｅｓ）、表示部１６ｒが、プレゼンス情報「仕事中」を表示する（ステップＳｂ６）。
【００４１】
上記の処理により、プレゼンス情報の変換に用いる情報を予めディレクトリ情報として記憶させておくのではなく、相手方の端末装置１０Ｓの端末プレゼンス定義情報記憶部１８ｓに記憶されている対応関係情報を用いることで、ディレクトリ情報が複数の端末装置において共通となるように維持する必要を無くすことができる。また、端末装置１０Ｓ、１０Ｒにて表示できるプレゼンス情報が異なる場合であっても、上位の概念のプレゼンス情報に変換して表示することができるため、プレゼンス情報が共通でない端末装置１０Ｓ、１０Ｒの間においても相互接続して、プレゼンス情報を送受信して互いに表示することが可能となる。
【００４２】
（第３実施形態）
次に、図９及び図１０を参照して本発明の第３実施形態について説明する。
図９は、第３実施形態のプレゼンス情報通信システム３の概略を示した図である。
【００４３】
第３実施形態のプレゼンス情報通信システムの端末装置１０Ｓ、１０Ｒの内部構成には、図１に示した第１実施形態のプレゼンス情報通信システム１の端末装置１０Ｓ、１０Ｒと同じ内部機能構成が適用される。端末装置１０Ｓの端末プレゼンス定義情報記憶部１８ｓには、図９の符号２１８ｓで示されるプレゼンス情報が階層化された対応関係情報が記憶されている。また、端末装置１０Ｒの端末プレゼンス定義情報記憶部１８ｒには、図９の符号２１８ｒで示されるプレゼンス情報が概念の抽象度に応じて階層化された対応関係情報が記憶されている。これらの情報を、以下の説明では、それぞれ対応関係情報２１８ｓ及び２１８ｒと記載する。
【００４４】
また、第３実施形態においても第２実施形態と同じく、共通のディレクトリ情報を用いないため、ディレクトリ情報記憶部１４ｓと１４ｒには送受信前には情報は記憶されないこととなる。なお、判定部１２は及び変換部１３は、それぞれ第１実施形態とは基準がことなり、判定部１２は、ディレクトリ情報記憶部１４に記憶される情報に基づいて判定を行い、変換部１３は、端末プレゼンス定義情報記憶部１８に記憶される情報に基づいて上位概念のプレゼンス情報への変換を行う。
【００４５】
次に、図１０を参照して第３実施形態のプレゼンス情報システム２の処理について説明する。まず、端末装置１０Ｒの送受信部１５ｒは、端末装置１０Ｓのプレゼンス情報を要求するためのプレゼンス情報要求信号としてＳＵＢＳＣＲＩＢＥメッセージをネットワーク１００を介して端末装置１０Ｓに送信する。送受信部１５ｒは、送信するＳＵＢＳＣＲＩＢＥメッセージを生成する際に、端末プレゼンス定義情報記憶部１８ｒから対応関係情報２１８ｒを構成する全てのプレゼンス情報を読み出し、読み出したプレゼンス情報を含むＳＵＢＳＣＲＩＢＥメッセージを生成する。ここで、対応関係情報２１８ｒ自体を送信せず、個々のプレゼンス情報を送信するのは、対応関係を構成する情報を削減することで、送信する情報量を低減するためである。
【００４６】
端末装置１０Ｓは、送受信部１５ｓにてＳＵＢＳＣＲＩＢＥメッセージを受信する（ステップＳｃ１）。そして、送受信部１５ｓは、受信したＳＵＢＳＣＲＩＢＥメッセージに含まれるプレゼンス情報を読み出し、読み出したプレゼンス情報をディレクトリ情報記憶部１４ｓに記録する（ステップＳｃ２）。端末装置１０Ｓの送受信部１５ｓは、状態記憶部１７ｓからプレゼンス情報を読み出す。ここで、端末装置１０Ｓの状態記憶部１７ｓには、図９に示すようにプレゼンス情報として「取込中」が記憶されているものとする（ステップＳｃ３）。
【００４７】
送受信部１５ｓは、読み出したプレゼンス情報「取込中」を判定部１２ｓに入力する。判定部１２ｓは、入力されたプレゼンス情報「取込中」が相手方の端末装置１０Ｒが表示できるプレゼンス情報であるか否かを判定する。すなわち、プレゼンス情報「取込中」がディレクトリ情報記憶部１４ｓに記録されているプレゼンス情報に含まれているか否かを判定する。図９の例では、ディレクトリ情報記憶部１４ｓに記憶されているプレゼンス情報には、プレゼンス情報「取込中」は含まれていないため、判定部１２ｓは、プレゼンス情報「取込中」は端末装置１０Ｓにて表示できないプレゼンス情報として判定し（ステップＳｃ４：Ｎｏ）、変換部１３ｓにプレゼンス情報「取込中」を入力する。変換部１３ｓは、端末プレゼンス定義情報記憶部１８ｓに記憶される対応関係情報２１８ｓに基づいて、入力されるプレゼンス情報「取込中」を、上位概念のプレゼンス情報「仕事中」に変換して、判定部１２ｓに入力する（ステップＳｃ５）。判定部１２ｓは、入力されるプレゼンス情報「仕事中」が相手方の端末装置１０Ｒが表示できるプレゼンス情報であるか否かを判定する。プレゼンス情報「仕事中」は、ディレクトリ情報記憶部１４ｓに記憶されるプレゼンス情報に含まれているため、判定部１２ｓは、プレゼンス情報「仕事中」は端末装置１０Ｒが表示できるプレゼンス情報であると判定し（ステップＳｃ４：Ｙｅｓ）、当該プレゼンス情報「仕事中」を送受信部１５ｓに入力する。送受信部１５ｓは、プレゼンス情報「仕事中」を含むＮＯＴＩＦＹメッセージを端末装置１０Ｒに送信する（ステップＳｃ６）。当該ＮＯＴＩＦＹメッセージを受信する端末装置１０Ｒは、ＮＯＴＩＦＹメッセージに含まれるプレゼンス情報「仕事中」を表示することができるプレゼンス情報であるか否かの判定等の処理を行うことなく表示部１６ｒに表示させることができる。
【００４８】
上記の処理により、プレゼンス情報の変換に用いる情報を予めディレクトリ情報として記憶させておくのではなく、ＳＵＢＳＣＲＩＢＥメッセージとともに相手方の端末装置で表示できる全てのプレゼンス情報を受信することで、プレゼンス情報の送信側の端末装置が相手方の端末装置にて表示ができるプレゼンス情報を送信前に判定し、表示できるプレゼンス情報を選択して送信できる。そのため、ディレクトリ情報が複数の端末装置において共通となるように維持する必要を無くすことができる。また、端末装置１０Ｓ、１０Ｒにて表示できるプレゼンス情報が異なる場合であっても、上位の概念のプレゼンス情報に変換して表示することができるため、プレゼンス情報が共通でない端末装置１０Ｓ、１０Ｒの間においても相互接続して、プレゼンス情報を送受信して互いに表示することが可能となる。
【００４９】
なお、図１１（ａ）に、それぞれのプレゼンス情報の状態（図１１のステータス）が包含されるか、あるいは独立しており、重複する関係にない場合には、上位及び下位の概念の関連付けができるが、図１１（ｂ）に示すように下位概念のプレゼンス情報において状態に重複がある場合（ステータスＢとステータスＣ）には、図１１（ｃ）に示すように重複する部分を新たなプレゼンス情報（ステータスＤ）として状態を付与することで、上位概念と下位概念の対応付けを成立させることが可能となる。
【００５０】
上記の第１から第３の実施形態の構成により、表示できるプレゼンス情報の定義が異なる端末装置の間であっても、各端末装置が表示できるプレゼンス情報へ変換することができる。それによって、プレゼンス情報の定義が異なるサービスを提供するサービス提供者にとっては、サービス間でプレゼンス情報が一致するようにメンテナンスする必要なく、さらに、各サービス提供者が独自にプレゼンス情報の追加、変更を行うことが可能となる。
【００５１】
また、上記の第１から第３の実施形態において、プレゼンス情報を上位概念に変換する場合に、１段ずつ階層が上位の概念に変換することで、極力下位の概念であって表示ができるプレゼンス情報に変換することが可能であるため、状態情報の通知制度を高めることが可能となる。
【００５２】
また、上記の第１から第３の実施形態において、プレゼンス情報は端末装置にて表示するとしていたが、本発明は、これらの実施形態には限られず、プレゼンス情報が出力可能か否かを判定し、出力可能なプレゼンス情報へ変換した後に表示する処理の他に、出力可能となったプレゼンス情報に対して所定の処理を行うように構成してもよい。ここで、所定の処理とは、例えば、視聴したいレンタルビデオの状態が「貸し出し中」というプレゼンス情報から「貸し出し可能」というプレゼンス情報に変わった際に、自動的にレンタル予約を入れるといった出力処理に後続する処理等である。
【００５３】
また、上記の第１から第３の実施形態において、対応付けられるプレゼンス情報とは、ある概念のプレゼンス情報を抽象化して、その抽象度に応じて上位概念のプレゼンス情報から下位概念のプレゼンス情報を抽象度、すなわち概念順に基づいて階層化して対応付けるようにしていたが、本発明は、これらの実施形骸に限られず、位置を示すプレゼンス情報や、時間を示すプレゼンス情報に適用するようにしてもよい。位置を示すプレゼンス情報の場合には、位置の範囲を示す情報が該当し、例えば、「日本国、東京都、武蔵野市」のように上位概念から下位概念へ概念順に階層化して対応付けることができる。また、時間を示すプレゼンス情報の場合には、時間の範囲を示す情報が該当し、例えば、「春、４月」のように上位概念から下位概念へ概念順に階層化して対応付けることができる。
【００５４】
また、本発明の対応関係情報とは、第１の実施形態に係るディレクトリ情報、及び第２及び第３の実施形態に係る対応関係情報に該当し、これらの情報として、類義語辞書等の情報を適用するようにしてもよい。
【００５５】
また、本発明の通信装置は、第１から第３の実施形態に係る端末装置に該当し、当該装置は、さらに他のネットワークに接続され、プレゼンス情報を当該ネットワークを通じて転送する機能を有する装置であってもよい。
【００５６】
また、本発明の第１の記憶手段は、端末プレゼンス定義情報記憶部１８ｓ、１８ｒに対応し、第２の記憶手段は、ディレクトリ情報記憶部１４ｒに対応する。また、本発明の受信手段及び送信手段は、送受信部１５ｓ、１５ｒに対応する。また、本発明の判定手段は、判定部１２ｓ、１２ｒに対応し、変換手段は、変換部１３ｓ、１３ｒに対応し、出力手段は、表示部１６ｓ、１６ｒに対応する。また、本発明の状態記憶手段は、状態記憶部１７ｓ、１７ｒに対応する。
【００５７】
上述の端末装置は内部に、コンピュータシステムを有している。そして、上述したプレゼンス情報の表示に係る処理は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００５８】
【図１】第１実施形態のプレゼンス情報通信システムを示すブロック図である。
【図２】第１実施形態のディレクトリ情報記憶部に記憶されるディレクトリ情報を示した図である。
【図３】第１実施形態の端末プレゼンス定義情報記憶部に記憶されるプレゼンス情報を示した図である。
【図４】第１実施形態のディレクトリ情報の具体例を示した図である。
【図５】第１実施形態のプレゼンス情報通信システムの処理を説明するための図である。
【図６】第１実施形態のプレゼンス情報通信システムの処理を示したフローチャートである。
【図７】第２実施形態のプレゼンス情報通信システムの概略を示した図である。
【図８】第２実施形態のプレゼンス情報通信システムの処理を示したフローチャートである。
【図９】第３実施形態のプレゼンス情報通信システムの概略を示した図である。
【図１０】第３実施形態のプレゼンス情報通信システムの処理を示したフローチャートである。
【図１１】本発明の実施形態のプレゼンス情報を概念的に対応付ける際の手順を説明するための図である。
【符号の説明】
【００５９】
１    プレゼンス情報通信システム
１０Ｓ、１０Ｒ  端末装置
１１ｓ、１１ｒ  入力部
１２ｓ、１２ｒ  判定部
１３ｓ、１３ｒ  変換部
１４ｓ、１４ｒ  ディレクトリ情報記憶部
１５ｓ、１５ｒ  送受信部
１６ｓ、１６ｒ  表示部
１７ｓ、１７ｒ  状態記憶部
１８ｓ、１８ｒ  端末プレゼンス定義情報記憶部
１００  ネットワーク
【図１】
2007249522.tif 000003
【図２】
2007249522.tif 000004
【図３】
2007249522.tif 000005
【図４】
2007249522.tif 000006
【図５】
2007249522.tif 000007
【図６】
2007249522.tif 000008
【図７】
2007249522.tif 000009
【図８】
2007249522.tif 000010
【図９】
2007249522.tif 000011
【図１０】
2007249522.tif 000012
【図１１】
2007249522.tif 000013